(57)【特許請求の範囲】
【請求項１】
光ビームを射出する光源と、
前記射出された前記光ビームを偏向する偏向器と、
少なくとも１つの走査レンズを含み、前記偏向された前記光ビームを被走査面上に結像させる走査光学系と、
前記光ビームを検知する光ビームセンサーと、
前記光ビームを第１ビームと第２ビームとに分割し、前記第１ビームが前記走査レンズのうちの少なくとも１つを透過して前記被走査面に入射し、前記第２ビームが前記光ビームセンサーに入射するように、前記第１ビームと前記第２ビームとを案内する光ビーム案内部材と
を備え、
前記第１ビームによって前記被走査面を走査し、前記被走査面上に画像データを書き込む光走査装置の前記光ビームセンサーの位置を調整する方法であって、
前記被走査面と同じ位置に配置されるとともに、前記第１ビームが入射すべき基準位置に前記第１ビームを検知する基準センサーの取付部を備える治具を準備する準備工程と、
前記治具の前記取付部に前記基準センサーを取り付けるセンサー取付工程と、
前記光ビームセンサーによる前記第２ビームの検知タイミングが前記基準センサーによる前記第１ビームの検知タイミングと一致するように前記光ビームセンサーの位置を調整する調整工程と
を含む、光ビームセンサーの位置調整方法。
【請求項２】
前記光走査装置が前記光源を複数備えるとともに、前記複数の光源の各々に対して前記光ビームセンサー及び前記ビーム案内部材が設けられており、
前記調整工程において、
複数の前記光ビームセンサーのうちの１つの位置を調整する工程と、
前記１つの光ビームセンサー以外の前記光ビームセンサーによる前記第２ビームの検知タイミングが前記１つの光ビームセンサーによる前記第２ビームの検知タイミングと一致するように前記１つの光ビームセンサー以外の前記光ビームセンサーの位置を調整する工程と
を含む、請求項１に記載の光ビームセンサーの位置調整方法。
【発明の詳細な説明】
【技術分野】
【０００１】
本発明は、光走査装置及び光ビームセンサーの位置調整方法に関する。
【背景技術】
【０００２】
電子写真方式の画像形成装置（例えば、複写機やレーザープリンター）においては、感光体の感光面が帯電器によって帯電され、帯電された感光面が露光装置によって露光される。そして、画像データに対応した潜像が感光面に形成される。この潜像は現像装置によって現像されてトナー像として顕像化される。そして、トナー像は転写装置によって用紙上に転写される。更に、用紙上のトナー像は、定着装置によって加熱及び加圧されて溶融し、用紙上に定着する。
【０００３】
画像形成装置の感光体の感光面を露光する装置として、光走査装置が用いられている（特許文献１参照）。図６は従来の光走査装置の一例の概略構成図である。この光走査装置１００は、光源１１０、偏向器１２０、走査光学系１３０、ＢＤセンサー１４０及び反射ミラー１５０を備える。走査光学系１３０は走査レンズ１３２及び走査レンズ１３４を含む。
【０００４】
光源１１０は光ビーム２００を射出する。偏向器１２０は回転して光ビーム２００を偏向するとともに主走査方向に移動させる。走査光学系１３０は光ビーム２００を感光体の感光面３００上にスポット状に結像させる。感光面３００上を移動するスポット状の光によって感光面３００上に画像データが書き込まれる。
【０００５】
ＢＤセンサー１４０は光ビーム２００を検知する。ＢＤセンサー１４０は感光面３００への画像データの書き込み開始のタイミングを決定するために用いられる。ＢＤセンサー１４０は、偏向器１２０から感光面３００までの光路長と、偏向器１２０からＢＤセンサー１４０までの光路長とが同じとなるように配置される。光走査装置１００は、ＢＤセンサー１４０が光ビーム２００を検知した時点から所定時間経過後に感光面３００への画像データの書き込みを開始する。
【０００６】
なお、光ビーム２００が走査レンズ１３２及び走査レンズ１３４を透過した後にＢＤセンサー１４０が光ビーム２００を検知するようにＢＤセンサー１４０を配置すると、光走査装置が大型化する等の問題が生じる。そこで、光走査装置１００では、走査レンズ１３２と走査レンズ１３４との間に配置された反射ミラー１５０が光ビーム２００の進行方向を変更し、走査レンズ１３２と走査レンズ１３４との間に配置されたＢＤセンサー１４０に光ビーム２００を導くようにしている。
【先行技術文献】
【特許文献】
【０００７】
【特許文献１】特開２００４−１８４５２７号公報
【発明の概要】
【発明が解決しようとする課題】
【０００８】
図６に示す従来の光走査装置１００では、以下に述べるような問題点があった。
【０００９】
光ビーム２００の偏向器１２０への入射角度や入射位置が、光ビーム２００の光軸調整のばらつきや部品精度のばらつき等によって基準からずれた場合、光ビーム２００の走査光学系１３０への入射位置がずれる。
【００１０】
物点が無限遠（平行光入射）にある光学系において、走査光学系が適切に収差補正されていれば、２本の光ビームの走査光学系への入射角度が等しいときには、２本の光ビームの走査光学系への入射点が微小に異なっていても、２本の光ビームの結像の像高の差は殆んど生じない。したがって、光ビームの偏向器への入射角度や入射位置が基準からずれても、感光面上の光ビームの結像点が基準位置からずれない場合がある。
【００１１】
図７は、平行な２本の光ビーム２００及び光ビーム２００’の走査光学系１３０への入射位置と結像面Ｆ上の結像位置との関係を示す説明図である。図７（ａ）は、光ビーム２００及び光ビーム２００’が走査レンズ１３２及び走査レンズ１３４を透過する場合を示し、図７（ｂ）は、光ビーム２００及び光ビーム２００’が走査レンズ１３４を透過しない場合を示す。
【００１２】
図７（ａ）において、光ビーム２００及び光ビーム２００’は走査レンズ１３２に同じ角度（θ）で入射し、走査レンズ１３４を透過して結像面Ｆ上に結像する。光ビーム２００と光ビーム２００’とは走査光学系１３０の光軸Ａ．Ｘに対して距離ｄだけずれているが、結像面Ｆ上における光ビーム２００の結像位置から光軸Ａ．Ｘまでの距離と、結像面Ｆ上における光ビーム２００’の結像位置から光軸Ａ．Ｘまでの距離とは同じ距離（Ｄ）である。したがって、光ビーム２００による結像の像高と光ビーム２００’による結像の像高とは同じである。
【００１３】
一方、図７（ｂ）においては、光ビーム２００及び光ビーム２００’が走査レンズ１３４によって収束しないため、光ビーム２００の結像面Ｆ上における結像位置と光ビーム２００’の結像面Ｆ上における結像位置とがΔｈずれる。したがって、光ビーム２００による結像の像高と光ビーム２００’による結像の像高とは異なる。
【００１４】
図６の光走査装置１００において、光ビーム２００及び光ビーム２００’がＢＤセンサー１４０に入射する場合には、ＢＤセンサー１４０における光ビーム２００及び光ビーム２００’の結像の状態は図７（ｂ）と同じとなる。すなわち、光ビーム２００及び光ビーム２００’は走査レンズ１３４を透過しないため、ＢＤセンサー１４０における光ビーム２１０の結像点と光ビーム２２０の結像点とがΔｈずれる。
【００１５】
したがって、図６の光走査装置１００においては、光ビーム２００が基準位置からずれて光ビーム２００’となった場合、感光面３００上では光ビーム２００’の結像位置が基準位置からずれないが、ＢＤセンサー１４０では、光ビーム２００’の結像位置が基準位置からずれる。その場合、ＢＤセンサー１４０による光ビーム２００’の検知のタイミングが基準からずれるため、ＢＤセンサー１４０が光ビーム２００’を検知した時点から所定時間後に光走査装置１００が感光面３００上に画像データの書き込みを開始すると、画像データの書き込み開始位置が基準位置からずれる。
【００１６】
図８は、感光面への画像データの書き込み開始時間のずれを説明するための説明図である。画像データの書き込み開始時間のずれは、ＢＤセンサーによる光ビームの検知タイミングのずれによって生じる。測定点４における光ビームの測定タイミングは、ＢＤセンサーにおいて光ビームの結像位置が基準位置からずれていない場合のタイミングを示す。測定点５における光ビームの測定タイミングは、ＢＤセンサーにおいて光ビームの結像位置が基準位置からΔｈずれた場合のタイミングを示す。測定点５における測定タイミングは測定点４における測定タイミングに対してΔｈに相当するΔｔだけずれている。
【００１７】
測定点５において、ＢＤセンサーが光ビームを検知した時点から所定時間後に光走査装置が感光面への画像データの書き込みを開始すると、感光面への画像データの書き込み開始時間が基準に対してΔｔずれることになる。
【００１８】
カラーの画像形成装置の場合、マゼンタ、シアン、イエロー、ブラック等の色毎に光走査装置が設けられており、光走査装置間で感光面への画像データの書き込み開始のタイミングがずれると、色間で画像データの書き込み開始のタイミングがずれる。その場合、ｆθレンズの主走査方向のリニアリティの影響のため、色間で主走査方向の位置ずれが発生し、画像品質が低下する。
【００１９】
本発明は上記事情に鑑みて創案されたものであり、その目的は、光ビームが少なくとも１つの走査レンズを透過する前にセンサーが光ビームを検知して被走査面への画像データの書き込みを開始する光走査装置において、被走査面への画像データの書き込み開始位置のずれを抑制することにある。
【課題を解決するための手段】
【００２０】
本発明に係る第１の態様は、光ビームによって被走査面を走査し、前記被走査面上に画像データを書き込む光走査装置であって、前記光ビームを射出する光源と、前記射出された前記光ビームを偏向する偏向器と、少なくとも１つの走査レンズを含み、前記偏向された前記光ビームを前記被走査面上に結像させる走査光学系と、前記光ビームを検知する光ビームセンサーと、前記光ビームを第１ビームと第２ビームとに分割する光ビーム案内部材とを備え、前記光ビーム案内部材は、前記第１ビームが前記走査レンズのうちの少なくとも１つを透過して前記被走査面に入射し、前記第２ビームが前記光ビームセンサーに入射するように、前記第１ビームと前記第２ビームとを案内する。
【００２１】
また、本発明に係る第２の態様は、第１の態様の光走査装置において、前記光ビームセンサーの位置を調整する方法であって、前記被走査面と同じ位置に配置されるとともに、前記第１ビームが入射すべき基準位置に前記第１ビームを検知する基準センサーの取付部を備える治具を準備する準備工程と、前記治具の前記取付部に前記基準センサーを取り付けるセンサー取付工程と、前記光ビームセンサーによる前記第２ビームの検知タイミングが前記基準センサーによる前記第１ビームの検知タイミングと一致するように前記光ビームセンサーの位置を調整する調整工程とを含む。
【発明の効果】
【００２２】
本発明によれば、光ビームが少なくとも１つの走査レンズを透過する前にセンサーが光ビームを検知して被走査面への画像データの書き込みを開始する光走査装置において、被走査面への画像データの書き込み開始位置のずれを抑制することができる。
【図面の簡単な説明】
【００２３】
【図１】本発明に係る光走査装置の第１実施形態の概略構成図である。
【図２】第１実施形態のＢＤセンサーの筐体への位置決め方法の説明図である。
【図３】第１実施形態のＢＤセンサーの筐体への位置決め方法を示すフローチャートである。
【図４】本発明に係る光走査装置の第２実施形態の概略構成図である。
【図５】感光面への画像データの書き込み開始タイミングのずれを説明するための説明図である。
【図６】従来の光走査装置の一例を示す概略構成図である。
【図７】平行な２本の光ビームの走査光学系への入射位置と結像面上の結像位置との関係を示す説明図である。
【図８】感光面への画像データの書き込みタイミングのずれを説明するための説明図である。
【発明を実施するための形態】
【００２４】
以下、図面を参照して本発明による実施形態を説明する。図１は本発明に係る光走査装置の第１実施形態の概略構成図である。
【００２５】
図１に示す光走査装置１は、画像形成装置（複写機やプリンター）に装備され、感光体ドラムの被走査面としての感光面３００に画像データを書き込むために用いられる。
【００２６】
光走査装置１は、光源１０と、偏向器としてのポリゴンミラー２０と、走査光学系３０と、光ビームセンサーとしてのＢＤ（Beam Detect）センサー４０と、光ビーム案内部材としてのハーフミラー５０とを備える。
【００２７】
光源１０はレーザーダイオード等により構成され、画像データに応じて変調されたレーザー光を射出する。
【００２８】
ポリゴンミラー２０は、平面視多角形のプレート状で、外周部に複数の反射面を有する。ポリゴンミラー２０は、モーター（図示せず）によって時計回り方向に回転する。
【００２９】
走査光学系３０は、第１走査レンズとしての走査レンズ３２と、第２走査レンズとしての走査レンズ３４とを含む。走査レンズ３２及び走査レンズ３４は、例えば、ｆθレンズやトロイダルレンズで構成される。走査レンズ３２は、例えば、主走査方向に正のパワーを有し、副走査方向に負のパワーを有する。走査レンズ３４は、例えば、主走査方向に正のパワーを有し、副走査方向に正のパワーを有する。
【００３０】
ハーフミラー５０は、走査レンズ３２を透過したレーザー光２００の一部を第１ビーム２００ａと第２ビーム２００ｂとに分割する。第１ビーム２００ａはハーフミラー５０を透過して走査レンズ３４に入射し、感光面３００上に結像する。一方、第２ビーム２００ｂはハーフミラー５０で反射され、走査レンズ３２と走査レンズ３４との間を通過してＢＤセンサー４０に入射する。
【００３１】
ＢＤセンサー４０は第２ビーム２００ｂを検知する。ＢＤセンサー４０は金属や合成樹脂等によって形成された支持部材（図示せず）に固定されている。この支持部材は光走査装置１の筐体（図示せず）に対してビスで固定される。支持部材にはビスの軸部を挿通する長穴が形成されており、ビスの支持部材に対する締結力を緩めることにより、支持部材を長穴の長手方向に移動させることができる。
【００３２】
光源１０から射出された光ビーム２００はポリゴンミラー２０で偏向されて走査レンズ３２に入射する。走査レンズ３２を透過した光ビーム２００は走査レンズ３４に入射し、走査レンズ３４を透過して感光面３００上にスポット状に結像する。感光面３００上に形成された光ビーム２００のスポット状の結像は、ポリゴンミラー２０の回転に伴って主走査方向（Ｘ軸方向）に移動して感光面３００に画像データを書き込む。
【００３３】
光ビーム２００の一部はハーフミラー５０に入射し、第１ビーム２００ａと第２ビーム２００ｂとに分割される。第１ビーム２００ａはハーフミラー５０を透過して走査レンズ３４に入射し、走査レンズ３４を透過して感光面３００上に結像する。光ビーム２００が画像データの書き込み開始位置を決定するための基準からずれていない場合における感光面３００上の第１ビーム２００ａの結像位置を基準位置Ｐ１とする。
【００３４】
第２ビーム２００ｂはハーフミラー５０で反射されて走査光学系３０の光軸Ａ．Ｘと略直交する方向に進行し、ＢＤセンサー４０に入射する。光走査装置１は、ＢＤセンサー４０が第２ビーム２００ｂを検知した時点から所定時間経過後に感光面３００への画像データの書き込みを開始する。光ビーム２００が画像データの書き込み開始位置を決定するための基準からずれていない場合には、画像データの書き込みが書き込み開始位置Ｐ２から開始し、書き込み終了位置Ｐ３で終了するものとする。
【００３５】
ＢＤセンサー４０による第２ビーム２００ｂの検知のタイミングが基準からずれている場合、光走査装置１による感光面３００への画像データの書き込み開始のタイミングがずれるため、感光面３００への画像データの書き込み開始位置がＰ２からずれる。その結果、用紙に形成される画像にずれが生じて画像品質が低下する。
【００３６】
感光面３００への画像データの書き込み開始位置のずれを抑制するためには、第１ビーム２００ａが感光面３００上に結像するタイミングと、ＢＤセンサー４０が第２ビーム２００ｂを検知するタイミングとを一致させる必要がある。すなわち、第１ビーム２００ａが感光面３００上に結像するタイミングでＢＤセンサー４０が第２ビーム２００ｂを検知するようにＢＤセンサー４０を筐体に位置決めする必要がある。
【００３７】
ＢＤセンサー４０の筐体への位置決めは光走査装置１の製造工程において行われる。ＢＤセンサー４０の筐体への位置決め方法を図２及び図３に基づいて説明する。図２はＢＤセンサー４０の筐体への位置決め方法の説明図であり、図３はＢＤセンサー４０の筐体への位置決め方法を示すフローチャートである。
【００３８】
図２に示すように、ＢＤセンサー４０の筐体への位置決めには治具４００を用いる。治具４００はセンサー取付面４０１を有する。センサー取付面４０１は、光走査装置１に対して感光面３００（図１参照）と同じ位置に配置される。センサー取付面４０１には、第１ビーム２００ａが入射すべき基準位置に第１ビーム２００ａを検知する基準センサー５００の取付部４０１ａが設けられている。なお、ここでいう基準位置とは、第１ビーム２００ａが、画像データの書き込み開始位置を決定するための基準からずれていない場合における第１ビーム２００ａのセンサー取付面４０１への入射位置である。
【００３９】
治具４００を用いたＢＤセンサー４０の筐体への位置決めは次のようにして行う。図３に示すように、まず、ステップＳ１０において、作業員は治具４００を準備する。ステップＳ１０は、本発明の準備工程に相当する。
【００４０】
次に、ステップＳ２０において、作業員が基準センサー５００を治具４００の取付部４０１ａに取り付ける。基準センサー５００はセンサー取付面４０１に入射する第１ビーム２００ａを検知する。ステップＳ２０は、本発明のセンサー取付工程に相当する。
【００４１】
次に、ステップＳ３０において、作業員は光走査装置１を治具４００に取り付ける。
【００４２】
次に、ステップＳ４０において、作業員はＢＤセンサー４０の位置を調整する。すなわち、作業員は光源１０を点灯させ、基準センサー５００による第１ビーム２００ａの検知波形とＢＤセンサー４０による第２ビーム２００ｂの検知波形とをオシロスコープ等で観察する。そして、ＢＤセンサー４０による第２ビーム２００ｂの検知タイミングが基準センサー５００による第１ビーム２００ａの検知タイミングと一致するようにＢＤセンサー４０の支持部材の位置を調整する。そして、支持部材をビスによって筐体に固定する。ステップＳ４０は、本発明の調整工程に相当する。
【００４３】
次に、ステップＳ５０において、作業員は、光走査装置１を治具４００から取り外す。
【００４４】
以上のようにＢＤセンサー４０の位置を調整することにより、光ビーム２００の偏向器２０への入射角度や入射位置が基準からずれたとしても、基準センサー５００による第１ビーム２００ａの検知のタイミングとＢＤセンサー４０による第２ビーム２００ｂの検知のタイミングとを一致させることができる。したがって、光走査装置１による感光面３００（図１参照）への画像データの書き込み開始のタイミングのずれを抑制することができ、画像品質の低下を抑制することができる。
【００４５】
次に、本発明の第２実施形態を説明する。図４は本発明に係る光走査装置の第２実施形態の概略構成図である。なお、第２実施形態において、図１及び図２に示す第１実施形態と対応する部分には同一の符号を使用し、重複する説明は省略するものとする。
【００４６】
第２実施形態の光走査装置１’は、一対の光源１０Ａ及び光源１０Ｂと、光源１０Ａに対応して設けられたＢＤセンサー４０Ａ及びハーフミラー５０Ａと、光源１０Ｂに対応して設けられたＢＤセンサー４０Ｂ及びハーフミラー５０Ｂとを備える。
【００４７】
光源１０Ａは光ビーム２００Ａを射出する。ハーフミラー５０Ａは光ビーム２００Ａを第１ビーム２００Ａａと第２ビーム２００Ａｂとに分割する。第１ビーム２００Ａａはハーフミラー５０Ａ及び走査レンズ３４を透過してセンサー取付面４０１に入射する。第２ビーム２００Ａｂはハーフミラー５０Ａで反射されてＢＤセンサー４０Ａに入射する。
【００４８】
光源１０Ｂは光ビーム２００Ｂを射出する。ハーフミラー５０Ｂは光ビーム２００Ｂを第１ビーム２００Ｂａと第２ビーム２００Ｂｂとに分割する。第１ビーム２００Ｂａはハーフミラー５０Ｂ及び走査レンズ３４を透過してセンサー取付面４０１に入射する。なお、第１ビーム２００Ｂａは、第１ビーム２００Ａａに対して副走査方向（図４のＹ軸に沿う方向）に離れた位置に入射する。第２ビーム２００Ｂｂはハーフミラー５０Ｂで反射されてＢＤセンサー４０Ｂに入射する。
【００４９】
図５は、感光面への画像データの書き込み開始タイミングのずれを説明するための説明図である。図５において、画像データの書き込み開始タイミングのずれは、ＢＤセンサー５０Ａによる光ビームの検知タイミングとＢＤセンサー５０Ｂによる光ビームの検知タイミングとのずれによって生じる
図５（ａ）の測定点１における測定タイミングは、基準センサー５００による第１ビーム２００Ａａの測定タイミングを示し、測定点２における測定タイミングは、ＢＤセンサー４０Ａによる第２ビーム２００Ａｂの測定タイミングを示す。測定点２における測定タイミングが測定点１における測定タイミングに対してΔｔ1ずれている場合、ＢＤセンサー４０Ａが第２ビーム２００Ａｂを検知してから所定時間後に光走査装置１’が感光面への画像データの書き込みを開始すると、感光面への画像データの書き込み開始のタイミングが基準に対してΔｔ1ずれることになる。
【００５０】
一方、図５（ｂ）の測定点１’における測定タイミングは、基準センサー５００に対して副走査方向（Ｙ軸方向）に離れた位置に配置された基準センサー５００’による第１ビーム２００Ｂａの測定タイミングを示し、測定点３における測定タイミングは、ＢＤセンサー４０Ｂによる第２ビーム２００Ｂｂの測定タイミングを示す。測定点３の測定タイミングが測定点１’の測定タイミングに対してΔｔ２ずれている場合、ＢＤセンサー４０Ｂが第２ビーム２００Ｂｂを検知した時点から所定時間後に光走査装置１’が感光面への画像データの書き込みを開始すると、感光面への画像データの書き込み開始時間が基準に対してΔｔ２ずれることになる。
【００５１】
ＢＤセンサー４０Ａの位置調整方法は第１実施形態のＢＤセンサー４０の位置調整方法と同じである。すなわち、ＢＤセンサー４０Ａによる第２ビーム２００Ａｂの検知タイミングが基準センサー５００による第１ビーム２００Ａａの検知タイミングと一致するようにＢＤセンサー４０Ａの位置を調整する。換言すると、図５（ａ）に示すΔｔ1が０となるようにＢＤセンサー４０Ａの位置を調整する。
【００５２】
ＢＤセンサー４０Ｂの位置調整は、ＢＤセンサー４０Ａの位置調整と同じ方法で行ってもよいし、ＢＤセンサー４０Ａを基準として行ってもよい。
【００５３】
ＢＤセンサー４０Ｂの位置調整をＢＤセンサー４０Ａの位置調整方法と同じ方法で行う場合は、ＢＤセンサー４０Ｂによる第２ビーム２００Ｂｂの測定タイミングが基準センサー５００’による第１ビーム２００Ｂａの測定タイミングと一致するようにＢＤセンサー４０Ｂの位置を調整する。換言すると、図５（ｂ）に示すΔｔ２が０となるようにＢＤセンサー４０Ｂの位置を調整する。
【００５４】
一方、ＢＤセンサー４０Ａを基準としてＢＤセンサー４０Ｂの位置を調整する場合には、次のようにする。すなわち、まず、ＢＤセンサー４０Ａの位置を調整する工程を実行し、その後、ＢＤセンサー４０Ｂによる第２ビーム２００Ｂｂの測定タイミングがＢＤセンサー４０Ａによる第２ビーム２００Ａｂの測定タイミングと一致するようにＢＤセンサー４０Ｂの位置を調整する工程を実行する。
【００５５】
本実施形態では、複数の光源を有する光走査装置の光源間での画像データの書き込み開始のタイミングのずれを抑制できるので、画像品質の低下を抑制することができる。
【００５６】
なお、本発明によれば、複数の光走査装置間での画像データの書き込み開始のタイミングのずれを抑制することもできる。すなわち、複数の光走査装置を１つずつ治具に取りつけて各光走査装置のＢＤセンサーの位置調整を行うことにより、複数の光走査装置間での画像データの書き込み開始のタイミングのずれを抑制できる。複数の光走査装置が互いに色の異なる画像形成を行う場合には、色間での画像データの位置ずれを抑制できるので、高精度のカラー画像を得ることができる。
【００５７】
以上、本発明の具体的な実施形態を説明したが、本発明は図１〜図５に示される実施形態に限定されるものではなく、本発明の要旨を逸脱しない範囲で本実施形態に種々の改変を施すことができる。
【００５８】
例えば、第１実施形態及び第２実施形態では、光ビーム案内部材がハーフミラーである場合について説明したが、ハーフミラー以外の光ビーム案内部材（例えば、プリズム）を用いることもできる。
【００５９】
また、第１実施形態では、光源、光ビームセンサー及び光ビーム案内部材の各々が１つであり、第２実施形態では、光源、光ビームセンサー及び光ビーム案内部材の各々が２つの場合を例に挙げて説明したが、光源、光ビームセンサー及び光ビーム案内部材の各々が３つ以上であってもよい。
【００６０】
また、第１実施形態及び第２実施形態では、走査光学系が第１走査レンズと第２走査レンズとを含む場合について説明したが、走査光学系は３つ以上の走査レンズを含んでもよいし、走査光学系は１つの走査レンズのみを含んでもよい。走査光学系が３つ以上の走査レンズを含む場合には、第１ビームが１つの走査レンズを透過して被走査面に入射してもよいし、第１ビームが２つ以上の走査レンズを透過して被走査面に入射してもよい。
【００６１】
その他にも、本発明の要旨を逸脱しない範囲で上記実施形態に種々の改変を施すことができる。
【符号の説明】
【００６２】
１、１’  光走査装置
１０  光源
２０  偏向器
３０  走査光学系
３２  走査レンズ（第１走査レンズ）
３４  走査レンズ（第２走査レンズ）
４０、４０Ａ、４０Ｂ  ＢＤセンサー（光ビーム検知センサー）
５０、５０Ａ、５０Ｂ  ハーフミラー（光ビーム案内部材）
２００  光ビーム
２００ａ、２００Ａａ  ２００Ｂａ  第１ビーム
２００ｂ、２００Ａｂ  ２００Ｂｂ  第２ビーム
３００  感光面（被走査面）
４００  治具
４０１  センサー取付面
４０１ａ  取付部
【図１】
0005903406.tif 000002
【図２】
0005903406.tif 000003
【図３】
0005903406.tif 000004
【図４】
0005903406.tif 000005
【図５】
0005903406.tif 000006
【図６】
0005903406.tif 000007
【図７】
0005903406.tif 000008
【図８】
0005903406.tif 000009